(57)【要約】  車両には、サンギヤ、キャリアおよびリングギヤを含む差動装置と、サンギヤに連結されたモータジェネレータと、キャリアに連結されたエンジンと、リングギヤに連結された車輪とが設けられる。車両は、運転者がスタートスイッチを操作するとエンジンを停止させるＥＣＵと、車両の走行中にスタートスイッチが操作されると、サンギヤを制動するブレーキとを備える。
2012101798.tif 000002
【特許請求の範囲】
【請求項１】
第１の回転要素（５０）、第２の回転要素（５４）および第３の回転要素（５６）を含む差動装置（４０）と、前記第１の回転要素（５０）に連結された電動モータ（２０）と、前記第２の回転要素（５４）に連結されたエンジン（１０）と、前記第３の回転要素（５６）に連結された車輪（８０）とが設けられた車両であって、
運転者がスイッチ（１５０）を操作するとエンジン（１０）を停止させる制御ユニット（２００）と、
前記車両の走行中に前記スイッチ（１５０）が操作されると、前記第１の回転要素（５０）を制動する制動装置（２２）とを備える、車両。
【請求項２】
前記制動装置（２２）は、車速がしきい値よりも低くなるまで低下すると、制動を停止する、請求項１に記載の車両。
【請求項３】
前記制動装置（２２）は、予め定められた時間が経過すると、制動を停止する、請求項１に記載の車両。
【請求項４】
前記制動装置（２２）は、車速がしきい値よりも高い状態で前記スイッチ（１５０）が操作されると、前記第１の回転要素（５０）を制動する、請求項１に記載の車両。
【請求項５】
前記第１の回転要素（５０）はサンギヤであって、
前記第２の回転要素（５４）はキャリアであって、
前記第３の回転要素（５６）はリングギヤである、請求項１に記載の車両。
【請求項６】
第１の回転要素（５０）、第２の回転要素（５４）および第３の回転要素（５６）を含む差動装置（４０）と、前記第１の回転要素（５０）に連結された電動モータ（２０）と、前記第２の回転要素（５４）に連結されたエンジン（１０）と、前記第３の回転要素（５６）に連結された車輪（８０）とが設けられた車両の制御方法であって、
運転者がスイッチ（１５０）を操作すると、エンジン（１０）を停止させるステップと、
前記車両の走行中に前記スイッチ（１５０）が操作されると、前記第１の回転要素（５０）を制動するステップとを備える、車両の制御方法。
【発明の詳細な説明】
【技術分野】
【０００１】
本発明は、車両および車両の制御方法に関し、特に、走行中にエンジンを停止させる場合に電動モータの出力軸回転数を制限する技術に関する。
【背景技術】
【０００２】
特開２００７−２３９１９号公報（特許文献１）に開示されたエンジン始動制御システムによれば、車両の走行中に何らかの要因によりエンジンが停止した場合、プッシュスイッチが押下されたときはブレーキペダルが踏み込まれていなくてもエンジンを再始動させる技術が開示されている。【０００３】
また、近年、環境問題対策の１つとして、電動モータ（モータジェネレータ）とエンジンとを搭載したハイブリッド車が注目されている。このようなハイブリッド車としては、たとえば、駆動輪、エンジンおよび電動モータの各要素が機械的に連結される車両が公知である。
【先行技術文献】
【特許文献】
【０００４】
【特許文献１】特開２００７−２３９１９号公報
【発明の概要】
【発明が解決しようとする課題】
【０００５】
上述したようなハイブリッド車においては、各要素が機械的に連結されていることにより、エンジンが停止していても、電動モータの出力軸が負回転している場合があり得る。このような場合にエンジンをクランキングすべく電動モータを駆動すると、電動モータが負回転している間は電動モータが発電し得る。電動モータの出力軸回転速度が高いほど、発電電力が大きくなり得る。このような発電は意図したものではない。そのため、必要以上に電力が発電され得る。【０００６】
本発明の目的は、走行中にエンジンを停止したときに、電動モータの出力軸回転数を制限することである。
【課題を解決するための手段】
【０００７】
第１の回転要素、第２の回転要素および第３の回転要素を含む差動装置と、第１の回転要素に連結された電動モータと、第２の回転要素に連結されたエンジンと、第３の回転要素に連結された車輪とが設けられた車両は、運転者がスイッチを操作するとエンジンを停止させる制御ユニットと、車両の走行中にスイッチが操作されると、第１の回転要素を制動する制動装置とを備える。【０００８】
別の実施例において、第１の回転要素、第２の回転要素および第３の回転要素を含む差動装置と、第１の回転要素に連結された電動モータと、第２の回転要素に連結されたエンジンと、第３の回転要素に連結された車輪とが設けられた車両の制御方法は、運転者がスイッチを操作すると、エンジンを停止させるステップと、車両の走行中にスイッチが操作されると、第１の回転要素を制動するステップとを備える。
【発明の効果】
【０００９】
車両の走行中にエンジンが停止されると、第１の回転要素が制動される。これにより、電動モータの出力軸回転数が制限される。
【図面の簡単な説明】
【００１０】
【図１】車両の全体ブロック図である。
【図２】動力分割装置の共線図を示す図である。
【図３】ＥＣＵの機能ブロック図である。
【図４】キャリアを制動した場合の動力分割装置の共線図を示す図である。
【図５】ＥＣＵが実行する処理のフローチャートを示す図である。
【発明を実施するための形態】
【００１１】
以下、図面を参照しつつ、本発明の実施の形態は、説明される。以下の説明では、同一の部品には同一の符号が付されている。それらの名称および機能も同じである。したがってそれらについての詳細な説明は繰返されない。
【００１２】
図１を参照して、本実施の形態に係る車両１の全体ブロック図が説明される。車両１は、エンジン１０と、駆動軸１６と、第１モータジェネレータ（以下、第１ＭＧと記載する）２０と、第２モータジェネレータ（以下、第２ＭＧと記載する）３０と、動力分割装置４０と、減速機５８と、ＰＣＵ（Power  Control  Unit）６０と、バッテリ７０と、駆動輪８０と、スタートスイッチ１５０と、制動装置１５１と、ＥＣＵ（Electronic  Control  Unit）２００とを含む。
【００１３】
この車両１は、エンジン１０および第２ＭＧ３０の少なくとも一方から出力される駆動力によって走行する。エンジン１０が発生する動力は、動力分割装置４０によって２経路に分割される。２経路のうちの一方の経路は減速機５８を介して駆動輪８０へ伝達される経路であり、他方の経路は第１ＭＧ２０へ伝達される経路である。
【００１４】
第１ＭＧ２０および第２ＭＧ３０は、電動モータである。第１ＭＧ２０および第２ＭＧ３０は、たとえば、三相交流回転電機である。第１ＭＧ２０および第２ＭＧ３０は、ＰＣＵ６０によって駆動される。
【００１５】
第１ＭＧ２０は、動力分割装置４０によって分割されたエンジン１０の動力を用いて発電してＰＣＵ６０を経由してバッテリ７０を充電するジェネレータとしての機能を有する。また、第１ＭＧ２０は、バッテリ７０からの電力を受けてエンジン１０の出力軸であるクランク軸を回転させる。これによって、第１ＭＧ２０は、エンジン１０を始動するスタータとしての機能を有する。
【００１６】
第２ＭＧ３０は、バッテリ７０に蓄えられた電力および第１ＭＧ２０により発電された電力の少なくともいずれか一方を用いて駆動輪８０に駆動力を与える駆動用モータとしての機能を有する。また、第２ＭＧ３０は、回生制動によって発電された電力を用いてＰＣＵ６０を経由してバッテリ７０を充電するためのジェネレータとしての機能を有する。
【００１７】
エンジン１０は、たとえば、ガソリンエンジンやディーゼルエンジン等の内燃機関である。エンジン１０は、複数の気筒１０２と、複数の気筒１０２の各々に燃料を供給する燃料噴射装置１０４とを含む。燃料噴射装置１０４は、ＥＣＵ２００からの制御信号Ｓ１に基づいて、各気筒に対して適切な時期に適切な量の燃料を噴射したり、各気筒に対する燃料の噴射を停止したりする。
【００１８】
さらに、エンジン１０には、エンジン１０のクランク軸の回転速度（以下、エンジン回転速度と記載する）Ｎｅを検出するためのエンジン回転速度センサ１１が設けられる。エンジン回転速度センサ１１は、検出されたエンジン回転速度Ｎｅを示す信号をＥＣＵ２００に送信する。
【００１９】
動力分割装置４０は、駆動輪８０を回転させるための駆動軸１６、エンジン１０の出力軸および第１ＭＧ２０の回転軸（出力軸）の三要素の各々を機械的に連結する差動装置である。動力分割装置４０は、上述の三要素のうちのいずれか一つを反力要素とすることによって、他の２つの要素間での動力の伝達を可能とする。第２ＭＧ３０の回転軸（出力軸）は、駆動軸１６に連結される。
【００２０】
動力分割装置４０は、サンギヤ５０と、ピニオンギヤ５２と、キャリア５４と、リングギヤ５６とを含む遊星歯車機構である。ピニオンギヤ５２は、サンギヤ５０およびリングギヤ５６の各々と噛み合う。キャリア５４は、ピニオンギヤ５２を自転可能に支持するとともに、エンジン１０のクランク軸に連結される。サンギヤ５０は、第１ＭＧ２０の回転軸に連結される。リングギヤ５６は、駆動軸１６を介在して第２ＭＧ３０の回転軸および減速機５８に連結される。
【００２１】
サンギヤ５０は、ブレーキ２２により制動される。ブレーキ２２により、サンギヤ５０の回転速度および第１ＭＧ２０の回転速度をゼロに維持することが可能である。
【００２２】
エンジン１０、第１ＭＧ２０および第２ＭＧ３０が動力分割装置４０によって連結されることにより、第１ＭＧ２０の回転速度Ｎｍ１と、エンジン回転速度Ｎｅと、第２ＭＧ３０の回転速度Ｎｍ２とは、図２の共線図上で１本の直線で結ばれる関係を維持するように各要素の回転速度Ｎｍ１，Ｎｅ，Ｎｍ２が変化する。
【００２３】
図２に示す共線図の三本の縦軸のうちの左側の縦軸がサンギヤ５０の回転速度、すなわち、第１ＭＧ２０の回転速度Ｎｍ１を示す。また、図２に示す共線図の中央の縦軸がキャリア５４の回転速度、すなわち、エンジン回転速度Ｎｅを示す。また、図２に示す共線図の右側の縦軸がリングギヤ５６の回転速度、すなわち、第２ＭＧ３０の回転速度Ｎｍ２を示す。なお、図２の共線図の各縦軸の矢印の方向が正回転方向を示し、矢印の方向と逆方向が負回転方向を示す。
【００２４】
一例として、図２の実線に示すように、車両１が、第１ＭＧ２０の回転速度Ｎｍ１がＮｍ１（０）であって、エンジン回転速度ＮｅがＮｅ（０）であって、かつ、第２ＭＧ３０の回転速度Ｎｍ２がＮｍ２（０）であると想定する。
【００２５】
動力分割装置４０は、車両が走行し、かつエンジン１０が停止した場合においても、第１ＭＧ２０の回転軸を回転させる。車両１の高速走行中に車両１のシステムが停止状態にされた場合、エンジン１０への燃料噴射を停止すると、エンジン回転速度Ｎｅはゼロになるように低下する。このとき、図２の破線に示すように、第１ＭＧ２０の回転速度Ｎｍ１がＮｍ１（０）からＮｍ１（１）へと負回転方向に回転速度が増加する。したがって、車速が高いほど、エンジン回転速度Ｎｅがゼロになる場合の（エンジン１０の回転が停止した場合の）第１ＭＧ２０の回転速度Ｎｍ１がより高くなり得る。
【００２６】
車両１が走行中であって、エンジン回転速度Ｎｅがゼロである場合に、第１ＭＧ２０を用いてエンジン１０を始動させる場合を想定する。この場合、第１ＭＧ２０の回転速度Ｎｍ１をＮｍ１（１）（図２の破線）からＮｍ１（０）（図２の実線）に引き上げることによって、エンジン回転速度Ｎｅを上昇させる必要がある。
【００２７】
第１ＭＧ２０の回転速度をＮｍ１（１）からＮｍ１（０）まで上昇させるべく、第１ＭＧ２０の回転方向（負回転方向）と反対の正回転方向のトルクを生じさせると、第１ＭＧ２０が負回転方向に回転しているため、第１ＭＧ２０は発電する。
【００２８】
このような発電は意図されたものではない。したがって、エンジン１０を始動するときの発電を制限することが好ましい。そこで、本実施の形態においては、後述するように、走行中にエンジン１０を停止したときの第１ＭＧ２０の回転速度が制限される。
【００２９】
図１に戻って、減速機５８は、動力分割装置４０や第２ＭＧ３０からの動力を駆動輪８０に伝達する。また、減速機５８は、駆動輪８０が受けた路面からの反力を動力分割装置４０や第２ＭＧ３０に伝達する。
【００３０】
ＰＣＵ６０は、バッテリ７０に蓄えられた直流電力を第１ＭＧ２０および第２ＭＧ３０を駆動するための交流電力に変換する。ＰＣＵ６０は、ＥＣＵ２００からの制御信号Ｓ２に基づいて制御されるコンバータおよびインバータ（いずれも図示せず）を含む。コンバータは、バッテリ７０から受けた直流電力の電圧を昇圧してインバータに出力する。インバータは、コンバータが出力した直流電力を交流電力に変換して第１ＭＧ２０および／または第２ＭＧ３０に出力する。これにより、バッテリ７０に蓄えられた電力を用いて第１ＭＧ２０および／または第２ＭＧ３０が駆動される。また、インバータは、第１ＭＧ２０および／または第２ＭＧ３０によって発電される交流電力を直流電力に変換してコンバータに出力する。コンバータは、インバータが出力した直流電力の電圧を降圧してバッテリ７０へ出力する。これにより、第１ＭＧ２０および／または第２ＭＧ３０により発電された電力を用いてバッテリ７０が充電される。なお、コンバータは、省略してもよい。
【００３１】
バッテリ７０は、蓄電装置であり、再充電可能な直流電源である。バッテリ７０としては、たとえば、ニッケル水素やリチウムイオン等の二次電池が用いられる。バッテリ７０の電圧は、たとえば２００Ｖ程度である。バッテリ７０は、上述したように第１ＭＧ２０および／または第２ＭＧ３０により発電された電力を用いて充電される他、外部電源（図示せず）から供給される電力を用いて充電されてもよい。なお、バッテリ７０は、二次電池に限らず、直流電圧を生成できるもの、たとえば、キャパシタ、太陽電池、燃料電池等であってもよい。
【００３２】
バッテリ７０には、バッテリ７０の電池温度ＴＢを検出するための電池温度センサ１５６と、バッテリ７０の電流ＩＢを検出するための電流センサ１５８と、バッテリ７０の電圧ＶＢを検出するための電圧センサ１６０とが設けられる。
【００３３】
電池温度センサ１５６は、電池温度ＴＢを示す信号をＥＣＵ２００に送信する。電流センサ１５８は、電流ＩＢを示す信号をＥＣＵ２００に送信する。電圧センサ１６０は、電圧ＶＢを示す信号をＥＣＵ２００に送信する。
【００３４】
スタートスイッチ１５０は、たとえば、プッシュ式スイッチである。スタートスイッチ１５０は、キーをキーシリンダに差し込んで所定の位置まで回転させるものであってもよい。スタートスイッチ１５０は、ＥＣＵ２００に接続される。運転者がスタートスイッチ１５０を操作することに応じて、スタートスイッチ１５０は、信号ＳＴをＥＣＵ２００に送信する。
【００３５】
ＥＣＵ２００は、たとえば、車両１のシステムが停止状態である場合に信号ＳＴを受信した場合に、起動指示を受けたと判断して、車両１のシステムを停止状態から起動状態に移行させる。また、ＥＣＵ２００は、車両１のシステムが起動状態である場合に信号ＳＴを受信した場合に、停止指示を受けた判断して、車両１のシステムを起動状態から停止状態に移行させる。以下の説明において、車両１のシステムが起動状態である場合に運転者がスタートスイッチ１５０を操作することをＩＧオフ操作といい、車両１のシステムが停止状態である場合に運転者がスタートスイッチ１５０を操作することをＩＧオン操作という。また、車両１のシステムが起動状態に移行した場合には、車両１が走行するために必要な複数の機器に電力が供給されるなどして、作動可能な状態となる。一方、車両１のシステムが停止状態に移行した場合には、車両１が走行するために必要な複数の機器のうちの一部への電力の供給が停止されるなどして、作動停止状態となる。
【００３６】
第１レゾルバ１２は、第１ＭＧ２０の回転速度Ｎｍ１を検出する。第１レゾルバ１２は、検出された回転速度Ｎｍ１を示す信号をＥＣＵ２００に送信する。第２レゾルバ１３は、第２ＭＧ３０の回転速度Ｎｍ２を検出する。第２レゾルバ１３は、検出された回転速度Ｎｍ２を示す信号をＥＣＵ２００に送信する。
【００３７】
車輪速センサ１４は、駆動輪８０の回転速度Ｎｗを検出する。車輪速センサ１４は、検出された回転速度Ｎｗを示す信号をＥＣＵ２００に送信する。ＥＣＵ２００は、受信した回転速度Ｎｗに基づいて車速Ｖを算出する。なお、ＥＣＵ２００は、回転速度Ｎｗに代えて第２ＭＧ３０の回転速度Ｎｍ２に基づいて車速Ｖを算出するようにしてもよい。
【００３８】
制動装置１５１は、ブレーキアクチュエータ１５２と、ディスクブレーキ１５４とを含む。ディスクブレーキ１５４は、車輪と一体的に回転するブレーキディスクと、油圧を用いてブレーキディスクの回転を制限するブレーキキャリパとを含む。ブレーキキャリパは、ブレーキディスクを回転軸と平行な方向で挟み込むように設けられるブレーキパッドと、油圧をブレーキパッドに伝達するためのホイールシリンダとを含む。ブレーキアクチュエータ１５２は、ＥＣＵ２００から受信する制御信号Ｓ３に基づいて、運転者がブレーキペダルを踏み込むことによって発生する油圧と、ポンプおよび電磁弁等を用いて発生する油圧とを調整してホイールシリンダに供給される油圧を調整する。図１において、制動装置１５１は、後輪の右側にのみ図示されるが、制動装置１５１は、各車輪毎に設けられるものとする。
【００３９】
ＥＣＵ２００は、エンジン１０を制御するための制御信号Ｓ１を生成し、その生成した制御信号Ｓ１をエンジン１０へ出力する。また、ＥＣＵ２００は、ＰＣＵ６０を制御するための制御信号Ｓ２を生成し、その生成した制御信号Ｓ２をＰＣＵ６０へ出力する。さらに、ＥＣＵ２００は、ブレーキアクチュエータ１５２を制御するための制御信号Ｓ３を生成し、その生成した制御信号Ｓ３をブレーキアクチュエータ１５２へ出力する。
【００４０】
ＥＣＵ２００は、エンジン１０およびＰＣＵ６０等を制御することによって車両１が最も効率よく運行できるようにハイブリッドシステム全体、すなわち、バッテリ７０の充放電状態、エンジン１０、第１ＭＧ２０および第２ＭＧ３０の動作状態を制御する。
【００４１】
ＥＣＵ２００は、運転席に設けられたアクセルペダル（図示せず）の踏込み量に対応する要求駆動力を算出する、ＥＣＵ２００は、算出された要求駆動力に応じて、第１ＭＧ２０および第２ＭＧ３０のトルクと、エンジン１０の出力とを制御する。
【００４２】
上述したような構成を有する車両１においては、発進時や低速走行時等であってエンジン１０の効率が悪い場合には、第２ＭＧ３０のみによる走行が行なわれる。また、通常走行時には、たとえば動力分割装置４０によりエンジン１０の動力が２経路の動力に分けられる。一方の動力で駆動輪８０が直接的に駆動される。他方の動力で第１ＭＧ２０を駆動して発電が行なわれる。このとき、ＥＣＵ２００は、発電された電力を用いて第２ＭＧ３０を駆動させる。このように第２ＭＧ３０を駆動させることにより駆動輪８０の駆動補助が行なわれる。
【００４３】
車両１の減速時には、駆動輪８０の回転に従動する第２ＭＧ３０がジェネレータとして機能して回生制動が行なわれる。回生制動によって回収した電力は、バッテリ７０に蓄えられる。なお、ＥＣＵ２００は、蓄電装置の残容量（以下の説明においては、ＳＯＣ（State  of  Charge）と記載する）が低下し、充電が特に必要な場合には、エンジン１０の出力を増加させて第１ＭＧ２０による発電量を増加させる。これにより、バッテリ７０のＳＯＣが増加させられる。また、ＥＣＵ２００は、低速走行時でも必要に応じてエンジン１０からの駆動力を増加させる制御を行なう場合もある。たとえば、上述のようにバッテリ７０の充電が必要な場合や、エアコン等の補機が駆動される場合や、エンジン１０の冷却水の温度を所定温度まで上げる場合等である。
【００４４】
ＥＣＵ２００は、バッテリ７０の充電量および放電量を制御する際に、電池温度ＴＢおよび現在のＳＯＣに基づいて、バッテリ７０の充電時に許容される入力電力（以下の説明においては、「充電電力上限値Ｗｉｎ」と記載する）およびバッテリ７０の放電時に許容される出力電力（以下の説明においては、「放電電力上限値Ｗｏｕｔ」と記載する）を設定する。たとえば、現在のＳＯＣが低下すると、放電電力上限値Ｗｏｕｔは徐々に低く設定される。一方、現在のＳＯＣが高くなると、充電電力上限値Ｗｉｎは徐々に低下するように設定される。
【００４５】
また、バッテリ７０として用いられる二次電池は、低温時に内部抵抗が上昇する温度依存性を有する。また、高温時には、さらなる発熱によって温度が過上昇することを防止する必要がある。このため、電池温度ＴＢの低温時および高温時には、放電電力上限値Ｗｏｕｔおよび充電電力上限値Ｗｉｎの各々を低下させることが好ましい。ＥＣＵ２００は、電池温度ＴＢおよび現在ＳＯＣに応じて、たとえば、マップ等を用いることによって、充電電力上限値Ｗｉｎおよび放電電力上限値Ｗｏｕｔを設定する。
【００４６】
図３に、本実施の形態に係る車両１に搭載されたＥＣＵ２００の機能ブロック図を示す。ＥＣＵ２００は、判定部２０２と、停止部２０４と、制動部２０６とを含む。
【００４７】
判定部２０２は、ＩＧオフ操作がされたか否かを判定する。判定部２０２は、たとえば車両１のシステムが起動状態である場合にスタートスイッチ１５０から信号ＳＴを受信した場合に、ＩＧオフ操作がされたと判定する。なお、判定部２０２は、たとえば、ＩＧオフ操作がされた場合にＩＧオフ判定フラグをオンするようにしてもよい。
【００４８】
さらに、判定部２０２は、車両１が走行中であるか否かを判定する。判定部２０２は、車速Ｖが所定車速Ｖ０よりも高い場合に、車両１が走行中であると判定する。なお、判定部２０２は、車両１が走行中であると判定された場合に走行判定フラグをオンするようにしてもよい。
【００４９】
停止部２０４は、ＩＧオフ操作がされたと判定されると、すなわちスタートスイッチ１５０が運転者により操作されると、エンジン１０を停止する。より具体的には、エンジン１０を停止させるべく、燃料噴射ならびに点火が停止される。車両の走行中であっても、ＩＧオフ操作がされると、エンジン１０が停止される。
【００５０】
制動部２０６は、車両の走行中にＩＧオフ操作がされたと判定されると、すなわち車両の走行中にスタートスイッチ１５０が運転者により操作されると、サンギヤ５０を制動するようにブレーキ２２を制御する。したがって、車両の走行中にエンジン１０が停止されると、サンギヤ５０を制動するようにブレーキ２２が制御される。ブレーキ２２により、サンギヤ５０が静止される。したがって、図４に示すように、第１ＭＧ２０の回転速度がゼロまたは略ゼロに維持される。一方、車両が走行中であるため、リングギヤ５６が回転されることによって、エンジン１０の回転速度はゼロにならずに、エンジン１０の出力軸が回転される。なお、第１ＭＧ２０の回転速度がゼロでなくてもよい。
【００５１】
制動部２０６は、車速がしきい値Ｖ１よりも高い状態でスタートスイッチ１５０が操作されると、サンギヤ５０を制動するようにブレーキ２２を制御する。したがって、車速がしきい値Ｖ１以下の状態でスタッチスイッチ１５０が操作されても、サンギヤ５０は制動されない。しきい値Ｖ１は、上述の所定車速Ｖ０よりも高い値である。
【００５２】
ブレーキ２２によりサンギヤ５０が制動された後、車速がしきい値Ｖ１以下まで低下すると、制動部２０６は、制動を停止するようにブレーキ２２を制御する。また、ブレーキ２２によりサンギヤ５０が制動されてから予め定められた時間が経過すると、制動部２０６は、制動を停止するようにブレーキ２２を制御する。スタートスイッチ１５０が操作されてから予め定められた時間が経過した場合、またはエンジン１０が停止されてから（燃料噴射が停止されてから）予め定められた時間が経過した場合に、制動を停止するようにしてもよい。
【００５３】
本実施の形態において、判定部２０２と、停止部２０４と、制動部２０６とは、いずれもＥＣＵ２００のＣＰＵがメモリに記憶されたプログラムを実行することにより実現される、ソフトウェアとして機能するものとして説明するが、ハードウェアにより実現されるようにしてもよい。なお、このようなプログラムは記憶媒体に記録されて車両に搭載される。
【００５４】
図５を参照して、本実施の形態に係る車両１に搭載されたＥＣＵ２００で実行される処理について説明する。
【００５５】
ステップ（以下、ステップをＳと記載する）１００にて、ＥＣＵ２００は、ＩＧオフ操作がされたか否かを判定する。ＩＧオフ操作がされた場合（Ｓ１００にてＹＥＳ）、Ｓ１０２にて、ＥＣＵ２００は、エンジン１０を停止させる。すなわち、燃料噴射および点火が停止される。
【００５６】
車両１が走行中である場合（Ｓ１０４にてＹＥＳ）、Ｓ１０６にて、ＥＣＵ２００は、車速がしきい値Ｖ１より高いか否かを判定する。車速がしきい値Ｖ１より高いと（Ｓ１０６にてＹＥＳ）、Ｓ１０８にて、ＥＣＵ２００は、サンギヤ５０を制動するようにブレーキ２２を制御する。
【００５７】
ブレーキ２２によりサンギヤ５０が制動された後、車速がしきい値Ｖ１以下まで低下した場合、または、予め定められた時間が経過した場合（Ｓ１１０にてＹＥＳ）、Ｓ１１２にて、ＥＣＵ２００は、制動を停止するようにブレーキ２２を制御する。したがって、ブレーキ２２が解放され、サンギ５０および第１ＭＧ２０が回転可能になる。
【００５８】
以上のように、本実施の形態によれば、車両の走行中にエンジン１０が停止されると、サンギヤ５０が制動される。これにより、第１ＭＧ２０の回転数が制限される。
【００５９】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【００６０】
１  車両、１０  エンジン、１１  エンジン回転速度センサ、１２  第１レゾルバ、１３  第２レゾルバ、１４  車輪速センサ、１６  駆動軸、２０  第１ＭＧ、２２  ブレーキ、３０  第２ＭＧ、４０  動力分割装置、５０  サンギヤ、５２  ピニオンギヤ、５４  キャリア、５６  リングギヤ、５８  減速機、７０  バッテリ、８０  駆動輪、１０２  気筒、１０４  燃料噴射装置、１５０  スタートスイッチ、１５６  電池温度センサ、１５８  電流センサ、１６０  電圧センサ、２００  ＥＣＵ、２０２  判定部、２０４  停止部、２０６  制動部。
【図１】
2012101798.tif 000003
【図２】
2012101798.tif 000004
【図３】
2012101798.tif 000005
【図４】
2012101798.tif 000006
【図５】
2012101798.tif 000007
【国際調査報告】
2012101798.tif 000008
2012101798.tif 000009